(57)【要約】      （修正有）【課題】空間に射出した光によって空間の利用者に生じた心理状態を持続させることができる照明システムおよび照明方法を提供する。【解決手段】照明システム１において、空間に光を射出する照明装置２１〜２３と、空間の利用者に目標とする心理状態を生じさせるための第１の色の光と、利用者に心理状態を生じさせるための第２の色の光と、を選択的に射出するように照明装置２１〜２３を制御する制御部４と、を備える。制御部４は、第１の色の光によって心理状態が持続する第１の持続時間以下の射出時間で第１の色の光を射出し、第２の色の光によって心理状態が持続する第２の持続時間以下の射出時間で第２の色の光を射出するように照明装置２１〜２３を制御する。【選択図】図１
2019200918.tif 000002
【特許請求の範囲】
【請求項１】
空間に光を射出する照明装置と、
前記空間の利用者に目標とする心理状態を生じさせるための第１の色の光と、前記利用者に前記心理状態を生じさせるための第２の色の光と、を選択的に射出するように前記照明装置を制御する制御部と、を備え、
前記制御部は、
前記第１の色の光によって前記心理状態が持続する第１の持続時間以下の射出時間で前記第１の色の光を射出し、前記第２の色の光によって前記心理状態が持続する第２の持続時間以下の射出時間で前記第２の色の光を射出するように前記照明装置を制御する、照明システム。
【請求項２】
前記制御部は、
予め設定された設定時間において、前記第１の持続時間以下の射出時間で前記第１の色の光を射出し、前記第２の持続時間以下の射出時間で前記第２の色の光を射出するように前記照明装置を制御する、請求項１に記載の照明システム。
【請求項３】
前記第１の持続時間は、前記第２の持続時間未満であり、
前記制御部は、
前記設定時間が前記第１の持続時間未満である場合には、前記設定時間において前記第１の色の光のみを前記第１の持続時間未満の射出時間で射出するように前記照明装置を制御し、または、前記設定時間において前記第２の色の光のみを前記第２の持続時間未満の射出時間で射出するように前記照明装置を制御する、請求項２に記載の照明システム。
【請求項４】
前記制御部は、
前記設定時間が前記第１の持続時間以上であって前記第１の持続時間と前記第２の持続時間との合計時間未満である場合には、前記設定時間において、前記第１の色の光を前記第１の持続時間で射出し、前記第２の色の光を前記第２の持続時間未満の射出時間で射出するように前記照明装置を制御し、または、前記設定時間において、前記第１の色の光を前記第１の持続時間未満の射出時間で射出し、前記第２の色の光を前記第２の持続時間で射出するように前記照明装置を制御する、請求項３に記載の照明システム。
【請求項５】
前記制御部は、
前記設定時間が前記合計時間以上である場合には、前記設定時間内に割り当てることが可能な前記合計時間の個数を算出し、
前記算出された合計時間の個数に応じた射出回数および射出時間で前記第１の色の光および前記第２の色の光を射出するように前記照明装置を制御する、請求項４に記載の照明システム。
【請求項６】
前記制御部は、
予め設定された切り替え時間をかけて前記第１の色の光の射出および前記第２の色の光の射出の一方から他方に切り替えるように前記照明装置を制御する、請求項２に記載の照明システム。
【請求項７】
前記制御部は、
前記切り替え時間に、色度図において前記第１の色と前記第２の色とを結ぶ直線上に位置する第３の色の光を射出するように前記照明装置を制御する、請求項６に記載の照明システム。
【請求項８】
前記心理状態の変更の指示を前記制御部に入力する入力部を更に備え、
前記制御部は、前記心理状態の変更の指示に応じて、前記心理状態と、前記利用者に前記心理状態を生じさせるための光の色とを変更する、請求項２に記載の照明システム。
【請求項９】
前記入力部は、前記設定時間の変更の指示を前記制御部に入力し、
前記制御部は、前記設定時間の変更の指示に応じて、前記設定時間と、前記設定時間における前記第１および第２の色の光の少なくとも一方の射出時間および射出回数の少なくとも一方とを変更する、請求項８に記載の照明システム。
【請求項１０】
前記利用者による前記空間の利用状況を検知する検知部を更に備え、
前記制御部は、前記検知された利用状況に応じて、前記心理状態と、前記利用者に前記心理状態を生じさせるための光の色とを変更する、請求項２に記載の照明システム。
【請求項１１】
前記制御部は、前記検知された利用状況に応じて、前記設定時間と、前記設定時間における前記第１および第２の色の光の少なくとも一方の射出時間および射出回数の少なくとも一方とを変更する、請求項１０に記載の照明システム。
【請求項１２】
空間の利用者に目標とする心理状態を生じさせるための第１の色の光と、前記利用者に前記心理状態を生じさせるための第２の色の光と、を選択的に射出するように照明装置を制御し、
前記照明装置の制御は、
前記第１の色の光によって前記心理状態が持続する第１の持続時間以下の射出時間で前記第１の色の光を射出し、前記第２の色の光によって前記心理状態が持続する第２の持続時間以下の射出時間で前記第２の色の光を射出するように前記照明装置を制御することを含む、照明方法。
【発明の詳細な説明】
【技術分野】
【０００１】
本開示は、照明システムおよび照明方法に関する。
【背景技術】
【０００２】
従来から、空間に光を射出することで空間を演出する技術が提案されている。例えば、特許文献１では、廻り縁ユニットと称される壁面に設置された間接照明装置を用いて、隠蔽されて直接的に視認され得ない光源からの光を、反射パネルや天井での反射によって間接的に空間に射出することで、天井の高さや壁面の広さが強調されるように空間を演出している。
【先行技術文献】
【特許文献】
【０００３】
【特許文献１】特開２０１１−２１０５９４号公報
【発明の概要】
【発明が解決しようとする課題】
【０００４】
しかしながら、特許文献１に開示された技術では、空間に射出した光によって空間の利用者に生じた心理状態を十分に持続させることについて、何ら有効な提案がなされていない。
【０００５】
本開示は、以上の点を考慮してなされたものであり、空間に射出した光によって空間の利用者に生じた心理状態を十分に持続させることができる照明システムおよび照明方法を提供することを目的とする。
【課題を解決するための手段】
【０００６】
本開示による照明システムは、
空間に光を射出する照明装置と、
前記空間の利用者に目標とする心理状態を生じさせるための第１の色の光と、前記利用者に前記心理状態を生じさせるための第２の色の光と、を選択的に射出するように前記照明装置を制御する制御部と、を備え、
前記制御部は、
前記第１の色の光によって前記心理状態が持続する第１の持続時間以下の射出時間で前記第１の色の光を射出し、前記第２の色の光によって前記心理状態が持続する第２の持続時間以下の射出時間で前記第２の色の光を射出するように前記照明装置を制御する。
【０００７】
本開示による照明システムにおいて、
前記制御部は、
予め設定された設定時間において、前記第１の持続時間以下の射出時間で前記第１の色の光を射出し、前記第２の持続時間以下の射出時間で前記第２の色の光を射出するように前記照明装置を制御してもよい。
【０００８】
本開示による照明システムにおいて、
前記第１の持続時間は、前記第２の持続時間未満であり、
前記制御部は、
前記設定時間が前記第１の持続時間未満である場合には、前記設定時間において前記第１の色の光のみを前記第１の持続時間未満の射出時間で射出するように前記照明装置を制御し、または、前記設定時間において前記第２の色の光のみを前記第２の持続時間未満の射出時間で射出するように前記照明装置を制御してもよい。
【０００９】
本開示による照明システムにおいて、
前記制御部は、
前記設定時間が前記第１の持続時間以上であって前記第１の持続時間と前記第２の持続時間との合計時間未満である場合には、前記設定時間において、前記第１の色の光を前記第１の持続時間で射出し、前記第２の色の光を前記第２の持続時間未満の射出時間で射出するように前記照明装置を制御し、または、前記設定時間において、前記第１の色の光を前記第１の持続時間未満の射出時間で射出し、前記第２の色の光を前記第２の持続時間で射出するように前記照明装置を制御してもよい。
【００１０】
本開示による照明システムにおいて、
前記制御部は、
前記設定時間が前記合計時間以上である場合には、前記設定時間内に割り当てることが可能な前記合計時間の個数を算出し、
前記算出された合計時間の個数に応じた射出回数および射出時間で前記第１の色の光および前記第２の色の光を射出するように前記照明装置を制御してもよい。
【００１１】
本開示による照明システムにおいて、
前記制御部は、
予め設定された切り替え時間をかけて前記第１の色の光の射出および前記第２の色の光の射出の一方から他方に切り替えるように前記照明装置を制御してもよい。
【００１２】
本開示による照明システムにおいて、
前記制御部は、
前記切り替え時間に、色度図において前記第１の色と前記第２の色とを結ぶ直線上に位置する第３の色の光を射出するように前記照明装置を制御してもよい。
【００１３】
本開示による照明システムにおいて、
前記心理状態の変更の指示を前記制御部に入力する入力部を更に備え、
前記制御部は、前記心理状態の変更の指示に応じて、前記心理状態と、前記利用者に前記心理状態を生じさせるための光の色とを変更してもよい。
【００１４】
本開示による照明システムにおいて、
前記入力部は、前記設定時間の変更の指示を前記制御部に入力し、
前記制御部は、前記設定時間の変更の指示に応じて、前記設定時間と、前記設定時間における前記第１および第２の色の光の少なくとも一方の射出時間および射出回数の少なくとも一方とを変更してもよい。
【００１５】
本開示による照明システムにおいて、
前記利用者による前記空間の利用状況を検知する検知部を更に備え、
前記制御部は、前記検知された利用状況に応じて、前記心理状態と、前記利用者に前記心理状態を生じさせるための光の色とを変更してもよい。
【００１６】
本開示による照明システムにおいて、
前記制御部は、前記検知された利用状況に応じて、前記設定時間と、前記設定時間における前記第１および第２の色の光の少なくとも一方の射出時間および射出回数の少なくとも一方とを変更してもよい。
【００１７】
本開示による照明方法は、
空間の利用者に目標とする心理状態を生じさせるための第１の色の光と、前記利用者に前記心理状態を生じさせるための第２の色の光と、を選択的に射出するように照明装置を制御し、
前記照明装置の制御は、
前記第１の色の光によって前記心理状態が持続する第１の持続時間以下の射出時間で前記第１の色の光を射出し、前記第２の色の光によって前記心理状態が持続する第２の持続時間以下の射出時間で前記第２の色の光を射出するように前記照明装置を制御することを含む。
【発明の効果】
【００１８】
本開示によれば、空間に射出した光によって空間の利用者に生じた心理状態を十分に持続させることができる。
【図面の簡単な説明】
【００１９】
【図１】図１は、本実施形態による照明システムを示す斜視図である。
【図２】図２は、本実施形態による照明システムを示す平面図である。
【図３】図３は、本実施形態による照明システムに含まれる面光源装置の一例を示す断面図である。
【図４】図４は、本実施形態による照明システムに含まれる面光源装置の一例を示す拡大断面図である。
【図５】図５は、本実施形態による照明システムを示すブロック図である。
【図６】図６は、本実施形態による照明システムの動作例を示すフローチャートである。
【図７】図７は、本実施形態の第１の変形例による照明システムの動作例を示すフローチャートである。
【図８】図８は、本実施形態の第１の変形例による照明システムの動作例の一部を詳細に示すフローチャートである。
【図９】図９は、本実施形態の第１の変形例による照明システムの動作例を示す模式図である。
【図１０】図１０は、本実施形態の第２の変形例による照明システムの動作例を示すフローチャートである。
【図１１】図１１は、本実施形態の第２の変形例による照明システムの動作例を示す模式図である。
【図１２】図１２は、本実施形態の第３の変形例による照明システムの動作例を示すフローチャートである。
【図１３】図１３は、本実施形態の第３の変形例による照明システムの動作例を示す模式図である。
【図１４】図１４は、本実施形態の第４の変形例による照明システムを示すブロック図である。
【図１５】図１５は、本実施形態の第４の変形例による照明システムの動作例の概要を示すフローチャートである。
【図１６】図１６は、本実施形態の第４の変形例による照明システムの動作例の詳細を示すフローチャートである。
【図１７】図１７は、本実施形態の第５の変形例による照明システムの動作例の概要を示すフローチャートである。
【図１８】図１８は、本実施形態の第５の変形例による照明システムの動作例の詳細を示すフローチャートである。
【図１９】図１９は、本実施形態の第６の変形例による照明システムを示すブロック図である。
【図２０】図２０は、本実施形態の第６の変形例による照明システムの動作例を示すフローチャートである。
【図２１】図２１は、本実施形態の第７の変形例による照明システムの動作例を示すフローチャートである。
【図２２】図２２は、本実施形態の第８の変形例による照明システムに含まれる面光源装置を示す拡大断面図である。
【図２３】図２３は、本実施形態の第９の変形例による照明システムに含まれる面光源装置を示す拡大断面図である。
【発明を実施するための形態】
【００２０】
以下、図面を参照して本実施形態による照明システムおよび照明方法について説明する。なお、本件明細書に添付する図面においては、図示と理解のしやすさの便宜上、適宜縮尺および縦横の寸法比等を、実物のそれらから変更し誇張してある。
【００２１】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００２２】
さらに、本明細書において、「シート」、「フィルム」、「板」の用語は、呼称の違いのみに基づいて、互いから区別されるものではない。例えば、「板」はシートやフィルムと呼ばれ得るような部材も含む概念である。
【００２３】
また、本実施形態およびその変形例で参照する図面において、同一部分または同様な機能を有する部分には同一の符号または類似の符号を付し、その繰り返しの説明は省略することがある。
【００２４】
（照明システム１）
図１〜図２３は、本実施形態の複数の例を示す図である。このうち、図１は、本実施形態による照明システム１を示す斜視図である。また、図２は、本実施形態による照明システム１を示す平面図である。本実施形態による照明システム１は、空間に光を射出することで空間の利用者に望ましい心理状態を生じさせるように空間の雰囲気を演出するために用いることができる。
【００２５】
具体的には、本実施形態による照明システム１は、構造体の一例である第１〜第４の壁Ｗ１〜Ｗ４、天井ＣＥおよび床Ｆで区画された部屋内の空間Ｓを照明および演出するために用いることができる。なお、図２に例示される部屋は、隣り合う４つの壁Ｗ１〜Ｗ４で仕切られた矩形の部屋である。また、部屋の中央にはテーブルＴが設置されている。また、第４の壁Ｗ４には、出入口Ｄが設けられている。照明システム１は、矩形以外の部屋の演出にも有効に適用することができる。
【００２６】
照明システム１は、空間Ｓに照明光を照射するベース照明装置３と、照明装置の一例である第１〜第４の面光源装置２１〜２４と、制御部の一例である制御装置４とを備える。図３は、本実施形態による照明システム１に含まれる面光源装置２１〜２４の一例を示す断面図である。図３に示すように、面光源装置２１〜２４は、ボード５、化粧シート６、補助建材７および留具９とともに、照明システム１に含まれる建材パネル２０を構成する。図１に示すように、面光源装置２１〜２４は、空間Ｓの利用者に直接視認されないように化粧シート６によって空間Ｓから隠蔽されている。ただし、化粧シート６は本開示に必須の構成ではなく、必要に応じて除去することができる。
【００２７】
（面光源装置２１〜２４）
以下、面光源装置２１〜２４について詳しく説明する。第１の面光源装置２１は、第１の壁Ｗ１に設けられ、空間Ｓに光を射出する。図１に示すように、第１の面光源装置２１は、床Ｆから鉛直方向ｄ１の上方ｄ１１に向かって延在する第１の壁Ｗ１のうち、上端側の位置に設けられている。第１の面光源装置２１の位置は、例えば、第１の壁Ｗ１に対向する第２の壁Ｗ２を背にして図２に示されるテーブルＴの着席位置Ｐ１に着席した利用者が、水平方向よりも下方に視線を向けたときに視界に入らず、水平方向よりも上方に視線を向けたときに視界に入る位置である。
【００２８】
第２の面光源装置２２は、第２の壁Ｗ２に設けられ、空間Ｓに光を射出する。図１に示すように、第２の面光源装置２２は、床Ｆから鉛直方向ｄ１の上方ｄ１１に向かって延在する第２の壁Ｗ２のうち、上端側の位置に設けられている。第２の面光源装置２２の位置は、例えば、第１の壁Ｗ１を背にして図２に示されるテーブルＴの着席位置Ｐ２に着席した利用者が、水平方向よりも下方に視線を向けたときに視界に入らず、水平方向よりも上方に視線を向けたときに視界に入る位置である。
【００２９】
第３の面光源装置２３は、第３の壁Ｗ３に設けられ、空間Ｓに光を射出する。図１に示すように、第３の面光源装置２３は、床Ｆから鉛直方向ｄ１の上方ｄ１１に向かって延在する第３の壁Ｗ３のうち、上端側の位置に設けられている。第３の面光源装置２３の位置は、例えば、着席位置Ｐ１、Ｐ２に着席した利用者が、それぞれの正面方向に視線を向けたときに視界に入らず、第３の壁Ｗ３が位置する前方に水平方向よりも上向きで視線を向けたときに視界に入る位置である。
【００３０】
第４の面光源装置２４は、第４の壁Ｗ４に設けられ、空間Ｓに光を射出する。第４の面光源装置２４は、床Ｆから鉛直方向ｄ１の上方ｄ１１に向かって延在する第４の壁Ｗ４のうち、上端側の位置に設けられている。第４の面光源装置２４の位置は、例えば、着席位置Ｐ１、Ｐ２に着席した利用者が、それぞれの正面方向に視線を向けたときに視界に入らず、第４の壁Ｗ４が位置する後方に水平方向よりも上向きで視線を向けたときに視界に入る位置である。
【００３１】
このような位置に配置されていることで、面光源装置２１〜２４は、利用者が会議のために正面に視線を向けているときや資料やＰＣを見るために手元に視線を向けているときなどの集中時においては、集中を妨げないように面光源装置２１〜２４の隠遁性を確保しながら空間を効果的に演出することができ、利用者が視線を上に向けた非集中時においては、面光源装置２１〜２４の演出効果を更に高めることができる。
【００３２】
ただし、面光源装置２１〜２４の配置位置は、図１に示される例に限定されない。例えば、面光源装置２１〜２４は、壁Ｗ１〜Ｗ４の下端側の位置に設けられていてもよく、または、壁Ｗ１〜Ｗ２の鉛直方向ｄ１における中央側の位置に設けられていてもよい。
【００３３】
図３に示すように、面光源装置２１〜２４は、発光面２１０ａを有し、光源の一例である発光体２２０から射出した光を面状光に変換する光学部材２１０を備える。発光面２１０ａの或る位置からの出射光量は、当該位置よりも発光面２１０ａに沿った鉛直方向ｄ１における上方ｄ１１に位置する発光面２１０ａの他の或る位置からの出射光量よりも少なくてもよい。このようにすることで、空間Ｓの雰囲気を効果的に高めることが可能となる。とりわけ、発光面２１０ａの鉛直方向ｄ１における下方ｄ１２の縁部での発光量を低減することで、発光面２１０ａと発光面２１０ａの外側の領域との間における光の継ぎ目を目立たなくすることができる。これにより、空間Ｓの雰囲気をより効果的に高めることが可能となる。
【００３４】
面光源装置２１〜２４の更に具体的な構成について説明すると、面光源装置２１〜２４は、建材パネル２０の最前面となる化粧面を形成する化粧シート６を有している。化粧シート６は、光学部材２１０の発光面２１０ａに対面する発光領域Ｚ１と、発光領域Ｚ１に隣接する非発光領域Ｚ２と、を含んでいる。このように、空間Ｓの明るさ向上を主目的としたベース照明装置３とは別途に、面光源装置２１〜２４によって化粧シート６を透過照明することで、有限な空間Ｓに対して広がりを付与することができる。とりわけ、化粧シート６の発光領域Ｚ１を限られた範囲とし、さらに、光学部材２１０の発光面２１０ａを化粧シート６で隠蔽することで、化粧シート６上の光の継ぎ目すなわち発光領域Ｚ１と非発光領域Ｚ２との継ぎ目は、発光面２１０ａが剥き出しの場合の発光面２１０ａとその外側領域との継ぎ目よりも更に目立たなくなる。この工夫により、光源の存在感を効果的に薄めた状態にて、空間Ｓを演出することができ、これにより、空間Ｓの雰囲気を更に効果的に高めることができる。
【００３５】
面光源装置２１〜２４は、主たる構成要素として、上述したように、化粧シート６及び光学部材２１０を有している。図示された具体例において、面光源装置２１〜２４は、全体として板状に形成され、その一部またはその全部により建材パネル２０を構成する。図３に示すように、建材パネル２０は、壁Ｗ１〜Ｗ４に重ねられた状態で部屋の内壁材として機能してもよい。このような例において、建材パネル２０の構成要素の全部または一部が、建材パネル２０を作製するための組立キットとして取り扱われ、流通や販売されるようにしてもよい。或いは、建材パネル２０が単独で、部屋の内壁をなすようにしてもよい。
【００３６】
図３に示された一具体例において、建材パネル２０は、化粧シート６及び光学部材２１０に加え、補助建材７、留具９及びボード５を有している。
【００３７】
図１および図３に示すように、化粧シート６は、空間Ｓに露出している。そして、化粧シート６は、面光源装置２１〜２４の最出光側の面を形成する。化粧シート６として、建築物の壁紙、床及び天井等の内装材、車両等の移動体の内装材、家具や電気機器等の最表面を形成する部材等を用いることができる。
【００３８】
上述のように、化粧シート６は、光学部材２１０の発光面２１０ａに対面する発光領域Ｚ１と、発光面２１０ａに対面する位置からずれた非発光領域Ｚ２と、を含んでいる。非発光領域Ｚ２は、発光領域Ｚ１に隣接している。化粧シート６は、発光領域Ｚ１において、光学部材２１０により背面側から光を照射される。化粧シート６は、少なくとも発光領域Ｚ１において、可視光透過性を有している。このため、光学部材２１０の発光面２１０ａから射出した光の少なくとも一部が、化粧シート６の発光領域Ｚ１を透過することができる。このように化粧シート６は透過照明されることから、透過率の比較的高い白色系の壁紙が化粧シート６として好適に用いられる。ただし、透過率の比較的低い壁紙、例えば木目調の壁紙でも十分有効に透過照明されて後述する作用効果を奏することができ、化粧シート６の柄等は特に限定されるものではない。化粧シート６の発光領域Ｚ１における可視光線透過率は、１．０％以上であることが好ましく、１０％以上であることがより好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率測定し、同規格に規定される算出式により算出したものである。
【００３９】
図３に示すように、発光領域Ｚ１及び非発光領域Ｚ２は、鉛直方向ｄ１に配列されている。発光領域Ｚ１は、鉛直方向ｄ１における上方ｄ１１側に位置し、非発光領域Ｚ２は、鉛直方向ｄ１における下方Ｄ１２側に位置している。
【００４０】
なお、面光源装置２１〜２４による空間の雰囲気を高める効果を期待する観点から、化粧シート６の発光領域Ｚ１及び非発光領域Ｚ２の境界を目立たなくさせることが好ましい。この点から、化粧シート６は、発光領域Ｚ１及び非発光領域Ｚ２において、同一の構成を有していることが好ましい。
【００４１】
図３に示すように、ボード５は、板状の部材である。ボード５は、少なくとも化粧シート６の非発光領域Ｚ２に対面して配置される。化粧シート６は、ボード５に貼合されていてもよい。この場合、ボード５によって、化粧シート６を安定して支持することができる。
【００４２】
図３に示された例において、ボード５は、非発光領域Ｚ２及び発光領域Ｚ１の両方に対面して配置されている。このボード５は、発光領域Ｚ１に対面する位置に凹部５１を設けられている。ボード５の凹部５１内に、光学部材２１０が収容されている。図３の例によれば、ボード５によって、光学部材２１０を安定して支持することができる。留具９は、ボード５に設けられており、ボード５上に光学部材２１０を固定する。また、留具９に加えて又は留具９に代えて、接着剤や粘着剤などを含む接合層によって、ボード５と光学部材２１０とを固定するようにしてもよい。
【００４３】
光学部材２１０の発光面２１０ａは、化粧シート６の非発光領域Ｚ２に対面するボード５の表面５ａと、同一面上に位置していることが好ましい。このように位置決めされたボード５及び光学部材２１０上に、化粧シート６が積層される。この場合、ボード５の表面５ａと光学部材２１０の発光面２１０ａとの間に段差が形成されにくくなり、化粧シート６越しにこの段差が視認されることに起因した化粧シート６の意匠性低下を効果的に抑制することができる。さらには、面光源装置２１〜２４の発光時に光学部材２１０の存在を効果的に目立たなくさせることができ、面光源装置２１〜２４による空間Ｓの雰囲気を高める効果がより顕著に奏されるようになる。
【００４４】
ボード５は、化粧シート６の用途に応じて決定される。化粧シート６が、壁、床、天井等の表面を加飾する部材をなす場合、一例として、ボード５は、種樹木の木材からなる単板、合板、集成材、パーチクル板、纖維板等の木製板材、コンクリート、モルタル等のセメント系材料、石膏ボード、珪酸カルシウム等からなる無機非金屬板、或いは鉄、アルミニウム等からなる金屬板となる。化粧シート６が、車両等の移動体の内装材をなす場合、ボード５は、例えば樹脂製板材、或いは金屬板となる。化粧シート６が、家具や電気製品をなす場合、ボード５は、例えば木製板材や樹脂製板材となる。なお、面光源装置２１〜２４の建材パネル３への適用において、ボード５は、耐燃性や耐火性を有していることが好ましい。
【００４５】
なお、図３では、留具９の図示にともなって、化粧シート６が、ボード５及び光学部材２１０との間に隙間を空けて図示されている。しかしながら、隙間をあけることなくボード５及び光学部材２１０に貼合されるようにしてもよい。
【００４６】
補助建材７は、天井ＣＥと壁Ｗ１〜Ｗ４との取り合い部に設ける部材である。補助建材７は、天井ＣＥと壁Ｗ１〜Ｗ４とのつなぎ目を覆い、建材パネル２０の意匠性を向上させる。補助建材７として、「回り縁」や「幅木」と呼ばれる部材を用いることができる。ただし、補助建材７を省略することも可能である。
【００４７】
図３に示すように、光学部材２１０は、面状光を射出する発光面２１０ａを有している。光学部材２１０は、その発光面２１０ａが化粧シート６の一部分のみに対面するように、位置決めされている。
【００４８】
ここで、面光源装置２１〜２４の具体例について説明する。図４は、本実施形態による照明システム１に含まれる面光源装置２１〜２４の一例を示す拡大断面図である。図４に示された面光源装置２１〜２４は、エッジライト型の面光源装置２１〜２４として構成されている。この面光源装置２１〜２４は、発光体２２０と、光学部材２１０とを有している。光学部材２１０は、光拡散シート２１２と、反射シート２１３と、導光板２１１と、を有している。なお、面光源装置２１〜２４は、例えば、直下型ＬＥＤを用いた面光源装置、ＥＬ（Electro Luminescence）シートを用いた面光源装置等を用いてもよいし、上記のいずれかとエッジライト方式の面光源装置との組合せにより構成されてもよい。
【００４９】
発光体２２０は、光を発光する。発光体２２０の具体的な態様は特に限定されることなく、光を発光する種々の部材を広く用いることができる。具体的には、例えば、冷陰極管、点状のフルカラー発光ダイオード（ＬＥＤ）、白熱電球、レーザー発振装置等を、発光体２２０として用いることができる。図３示された例において、発光体２２０は、補助建材７によって保持されている。発光体２２０は、補助建材７の長手方向である図２に示される水平方向ｄ２に沿って、間隔をあけて複数配列されている。補助建材７が取り外し可能な場合、補助建材７とともに複数の発光体２２０を壁Ｗ１〜Ｗ４から取り外し、複数の発光体２２０の一部又は全部の交換作業を行うことができる。
【００５０】
なお、照明システム１から射出した照明光の色が、人間の心理状態に影響を及ぼすことが知られている。例えば、若草色の照明光や赤紫色の照明光を用いて空間Ｓを照明した場合、空間Ｓの利用者Ｈに活気を生じさせるとされている。同様に、藤色の照明光やあやめ色の照明光を用いた場合、利用者から眠気を取り除く効果があるとされている。また、肌色の照明光を用いた場合、利用者に集中を引き起こす効果があるとされている。さらに、檸檬色の照明光や肌色の照明光を用いた場合、利用者に快適さを付与して利用者をリラックス状態とする効果があるとされている。照明システム１は、このような照明光によって利用者の心理状態に積極的に働きかけ、利用者の心理状態に効果的に影響を及ぼすことを目的としている。
【００５１】
図示された例では、面光源装置２１〜２４の各発光体２２０から射出する光が照明光となる。したがって、所望の心理状態を利用者に生じさせため、各発光体２２０は、所望する心理状態に対応した波長域の光を射出できるよう、光の色が選択可能となっている。一例として、各発光体２２０は、互いに異なる波長域の光を発光可能な複数種類の発光体２２０である。この場合、各発光体２２０の出力を調整することで、加法混色により、種々の色の照明光で照明を行うことが可能となる。典型的には、赤色の光を射出可能な発光体と、緑色の光を射出可能な発光体と、青色の光を射出可能な発光体と、を含むことで、面光源装置２１〜２４での照明光の色を、色度図上の全範囲の色から選択可能とすることが可能となる。
【００５２】
導光板２１１は、一対の主面２１１ａ，２１１ｂと、一対の主面２１１ａ，２１１ｂ間に位置する側面と、を有した板状の部材である。一方の主面が出光面２１１ａをなし、他方の主面が裏面２１１ｂをなしている。主面２１１ａ，２１１ｂは、典型的には、平面視矩形形状となる。主面２１１ａ，２１１ｂは、鉛直方向ｄ１の沿って延びる一対の側縁と、鉛直方向ｄ１に直交する水平方向ｄ２に沿って延びる一対の側縁と、を有している。
【００５３】
図４に示すように、導光板２１１は、鉛直方向ｄ１における上端側に位置する入光面２１１ｄを有している。入光面２１１ｄは、補助建材７に沿うようにして水平方向ｄ２に延びている。そして、入光面２１１ｄは、補助建材７に保持された発光体２２０に対面している。複数の発光体２２０は、入光面２１１ｄの長手方向である水平方向ｄ２に沿って、間隔をあけて配列されている。
【００５４】
図４に示すように、発光体２２０から射出した光は、導光板２１１に入射して導光板２１１内を進む。導光板２１１の主面２１１ｂには、取出要素として機能する凹部２１１ｃが設けられている。凹部２１１ｃは、導光板２１１内を進む光Ｌ１，Ｌ２の進行方向を変化させる。発光体２２０から射出した光は、導光板２１１に入光面２１１ｄから入射し、反射とりわけ全反射することで当該導光板２１１内を進む。導光板２１１内を進む光Ｌ１，Ｌ２は、凹部２１１ｃによって進行方向を変化させること、とりわけ散乱することで、導光板２１１の一対の主面２１１ａ，２１１ｂに全反射臨界角度未満の入射角度で入射して導光板２１１から出射することが可能となる。
【００５５】
凹部２１１ｃで進行方向を変えられた光は、一対の主面２１１ａ，２１１ｂのいずれかを介して、導光板２１１から出射する。導光板２１１の出光面２１１ａに対面して、光拡散シート２１２が設けられている。導光板２１１の出光面２１１ａから出射した光Ｌ１，Ｌ２は、次に、この光拡散シート２１２に入射する。光拡散シート２１２は、光拡散機能を有しており、透過光に起因した輝度角度分布を整えることができる。光拡散シート２１２は、光学部材２１０の発光面２１０ａを形成している。光拡散シート２１２で拡散された光は、光学部材２１０から射出して化粧シート６に向かう。光拡散シート２１２には、光拡散機能を発揮し得る種々の構成を採用することができる。光拡散シート２１２が有する拡散特性は、等方性であってもよいし、異方性であってもよい。
【００５６】
導光板２１１の裏面２１１ｂに対面して、反射シート２１３が設けられている。反射シート２１３は、裏面２１１ｂから出射する光を反射して、導光板２１１及び光拡散シート２１２へ向けることができる。反射シート２１３を設けることで、光学部材２１０の発光面２１０ａからの出射光量を増大させることができる。これにより、発光体２２０から射出した光の利用効率を向上させることができる。反射シート２１３には、光反射機能を発揮し得る種々の構成を採用することができる。反射シート２１３の反射特性は、正反射であってもよいし、拡散反射であってもよい。反射シート２１３が有する拡散反射特性は、等方性であってもよいし、異方性であってもよい。
【００５７】
（ベース照明装置３）
次に、ベース照明装置３について説明する。図１および図３に示すように、ベース照明装置３は、天井ＣＥに取り付けられ、照明光Ｌｘを空間Ｓに上方から放出する。ベース照明装置３は、天井ＣＥに固定されていてもよいし、天井ＣＥから吊り下げられていてもよい。ベース照明装置３は、人の視覚を通した空間Ｓ内の把握を補助するものである。したがって、ベース照明装置３として、一般的な、室内照明用の器具を用いることができる。ベース照明装置３から射出する照明光Ｌｘは、特に限定されないが、白色系とすることで自然な照明を可能とすることができる。
【００５８】
（制御装置４）
次に、制御装置４について説明する。図５は、本実施形態による照明システム１を示すブロック図である。制御装置４は、面光源装置２１〜２４による光の射出を制御する装置である。
【００５９】
図３および図５の例において、制御装置４は、面光源装置２１〜２４の発光体２２０に電気的に接続されている。制御装置４は、図示しない電源から発光体２２０に供給される電力を制御することで、発光体２２０の発光動作を制御する。発光体２２０の発光動作を制御することで、制御装置４は、面光源装置２１〜２４による光の射出を制御する。具体的には、制御装置４は、面光源装置２１から空間Ｓに射出される光の色および射出時間の少なくとも一方を制御する。
【００６０】
より具体的には、制御装置４は、空間の利用者に目標とする心理状態を生じさせるための第１の色の光と、空間の利用者に目標とする目標心理状態を生じさせるための第２の色の光と、を選択的に射出するように面光源装置２１〜２４を制御する。以下、目標とする心理状態のことを、目標心理状態とも呼ぶ。
【００６１】
第１の色の光および第２の色の光は、目標心理状態に対応付けて予め制御装置４に設定されている。例えば、目標心理状態が「活気」の場合、第１の色の光は、若草色の光であってもよく、第２の色の光は、赤紫色の光であってもよい。また、目標心理状態が「眠気改善」の場合、第１の色の光は、藤色の光であってもよく、第２の色の光は、あやめ色の光であってもよい。
【００６２】
第２の色の光は、１色の光に限らず、異なる２色以上の光であってもよい。すなわち、制御装置４は、目標心理状態を生じさせるための３色以上の光を選択的に射出させる制御を行ってもよい。
【００６３】
制御装置４は、第１の色の光によって目標心理状態が持続する第１の持続時間以下の射出時間で第１の色の光を射出し、第２の色の光によって目標心理状態が持続する第２の持続時間以下の射出時間で第２の色の光を射出するように面光源装置２１〜２４を制御する。
【００６４】
第１の持続時間は、目標心理状態および第１の色の光に対応付けて予め設定されている既知の時間である。第１の持続時間は、第１の色の光に対する目視者の色順応に要する時間であってもよい。第２の持続時間は、目標心理状態および第２の色の光に対応付けて予め設定されている既知の時間である。第２の持続時間は、第２の色の光に対する目視者の色順応に要する時間であってもよい。
【００６５】
制御装置４は、面光源装置２１〜２４による光の射出を制御できるものであれば、その具体的な態様は特に限定されない。一例として、図５に示される制御装置４は、記憶部４１と、計算部４２と、射出制御部４３とを有する。記憶部４１には、制御装置４が面光源装置２１〜２４による光の射出を制御するために用いる情報が記憶されている。例えば、記憶部４１には、目標心理状態と、目標心理状態に対応する第１の色および第１の持続時間と、目標心理状態に対応する第２の色および第２の持続時間とが記憶されていてもよい。計算部４２は、記憶部４１に記憶されている情報に基づいて、面光源装置２１〜２４による光の射出を制御するためのプログラムを作成する。なお、計算部４２は、デフォルトのプログラムの一部を更新することでプログラムを作成してもよい。射出制御部４３は、計算部４１で作成されたプログラムを実行することで、面光源装置２１〜２４による光の射出を制御する。
【００６６】
制御装置４は、例えば、電源から発光体２２０に電力を供給する電気回路に組み込まれ、電気回路の回路素子の動作を制御する制御回路や、制御回路の処理に用いるデータが記憶された記憶装置などのハードウェアで構成される。制御装置４の少なくとも一部をソフトウェアで構成してもよい。
【００６７】
制御装置４は、その全てが建材パネル２０の外部に設けられていてもよく、あるいは、その少なくとも一部が建材パネル２０の内部に設けられていてもよい。また、制御装置４は、その一部の構成部が、他の構成部との間でネットワークを通じた通信によって連携可能であってもよい。また、制御装置４は、その一部の構成部が、他の構成部との間で外部ネットワークを通じて通信可能な装置、例えばクラウド上のサーバやデータベース上にあってもよい。
【００６８】
（照明方法）
以下、照明システム１を適用した照明方法の一例について、図６を参照して説明する。図６は、本実施形態による照明システム１の動作例を示すフローチャートである。図６のフローチャートは、必要に応じて繰り返される。
【００６９】
先ず、図６に示すように、制御装置４は、第１の色の光を射出するように面光源装置２１〜２４を制御する（ステップＳ１）。
【００７０】
面光源装置２１〜２４の制御によって第１の色の光の射出が開始された後、制御装置４は、第１の色の光の射出時間が射出の開始から第１の持続時間に達したか否かを判定する（ステップＳ２）。この判定は、例えば、制御装置４のタイマ機能を用いて行ってもよいが、これに限定されない。
【００７１】
第１の色の光の射出時間が第１の持続時間に達した場合（ステップＳ２：Ｙｅｓ）、制御装置４は、第１の色の光の射出を終了させたうえで、第２の色の光を射出するように面光源装置２１〜２４を制御する（ステップＳ３）。
【００７２】
一方、第１の色の光の射出時間が第１の持続時間に達していない場合（ステップＳ２：Ｎｏ）、制御装置４は、第１の色の光の射出を継続させつつ第１の色の光の射出時間が第１の持続時間に達したか否かの判定を繰り返す（ステップＳ２）。
【００７３】
面光源装置２１〜２４の制御によって第２の色の光の射出が開始された後、制御装置４は、第２の色の光の射出時間が射出の開始から第２の持続時間に達したか否かを判定する（ステップＳ４）。
【００７４】
第２の色の光の射出時間が第２の持続時間に達した場合（ステップＳ４：Ｙｅｓ）、制御装置４は、処理を終了する。
【００７５】
一方、第２の色の光の射出時間が第２の持続時間に達していない場合（ステップＳ４：Ｎｏ）、制御装置４は、第２の色の光の射出を継続させつつ第２の色の光の射出時間が第２の持続時間に達したか否かの判定を繰り返す（ステップＳ４）。
【００７６】
以上説明したように、本実施形態において、制御装置４は、第１の色の光によって目標心理状態が持続する第１の持続時間以下の射出時間で第１の色の光を射出し、第２の色の光によって目標心理状態が持続する第２の持続時間以下の射出時間で第２の色の光を射出するように面光源装置２１〜２４を制御する。これにより、空間の利用者に目標心理状態を生じさせるために空間に照射した光に対して利用者の色順応が起きる前に、目標心理状態を生じさせる別の色の光の出射に切り替えることができる。この結果、空間に射出した光によって空間の利用者に生じた心理状態を十分に持続させることができる。
【００７７】
（第１の変形例）
次に、設定時間に対して持続時間以下の射出時間を割り当てる第１の変形例について説明する。なお、第１の変形例の照明システム１の基本構成は、図１〜図５と同様であるので、第１の変形例は、図１〜図５の符号を用いて説明する。
【００７８】
第１の変形例において、制御装置４は、予め設定された設定時間において、第１の持続時間以下の射出時間で第１の色の光を射出し、第２の持続時間以下の射出時間で第２の色の光を射出するように面光源装置２１〜２４を制御する。
【００７９】
設定時間は、利用者が空間Ｓを利用する時間の一部または全部であって、利用者に目標心理状態を生じさせることを意図して設定された時間である。設定時間は、例えば、制御装置４の記憶部４１に記憶されている。
【００８０】
例えば、第１の持続時間が第２の持続時間未満である場合、制御装置４は、設定時間が第１の持続時間未満である場合に、設定時間において第１の色の光のみを第１の持続時間未満の射出時間で射出するように面光源装置２１〜２４を制御してもよい。または、制御装置４は、設定時間において第２の色の光のみを第２の持続時間未満の射出時間で射出するように面光源装置２１〜２４を制御してもよい。これにより、第１の持続時間未満の設定時間において、光の色の切り替えを要することなく目標心理状態を持続させることができる。
【００８１】
また、制御装置４は、設定時間が第１の持続時間以上であって第１の持続時間と第２の持続時間との合計時間未満である場合には、設定時間において、第１の色の光を第１の持続時間で射出し、第２の色の光を第２の持続時間未満の射出時間で射出するように面光源装置２１〜２４を制御してもよい。または、制御装置４は、設定時間において、第１の色の光を第１の持続時間未満の射出時間で射出し、第２の色の光を第２の持続時間で射出するように面光源装置２１〜２４を制御してもよい。これにより、第１の持続時間と第２の持続時間との合計時間未満の設定時間において、第１の色の光と第２の色の光とを最小限の切替回数で切り替えることで、目標心理状態を持続させることができる。
【００８２】
また、制御装置４は、設定時間が第１の持続時間と第２の持続時間との合計時間以上である場合には、設定時間内に割り当てることが可能な合計時間の個数を算出してもよい。そして、制御装置４は、算出された合計時間の個数に応じた射出回数および射出時間で第１の色の光および第２の色の光を射出するように面光源装置２１〜２４を制御してもよい。これにより、第１の持続時間と第２の持続時間との合計時間以上の設定時間において、第１の色の光と第２の色の光との切替回数が最小限となるように光の色、射出回数および射出時間を割り当てることができる。
【００８３】
以下、このように構成された本実施形態の第１の変形例の照明システム１の動作例について、図７〜図９を参照して説明する。図７は、本実施形態の第１の変形例による照明システム１の動作例を示すフローチャートである。図８は、本実施形態の第１の変形例による照明システム１の動作例の一部を詳細に示すフローチャートである。図９は、本実施形態の第１の変形例による照明システム１の動作例を示す模式図である。図７のフローチャートは、必要に応じて繰り返される。
【００８４】
先ず、図７に示すように、制御装置４は、設定時間Ｔにおいて射出する光の色、射出時間および射出回数を設定する（ステップＳ５）。
【００８５】
具体的には、図８に示すように、先ず、制御装置４は、設定時間Ｔが第１の持続時間ｔ１未満であるか否かを判定する（ステップＳ５１）。
【００８６】
設定時間Ｔが第１の持続時間ｔ１未満である場合（ステップＳ５１：Ｙｅｓ）、制御装置４は、第１の色の光を第１の持続時間ｔ１未満の射出時間で１回射出することを設定する（ステップＳ５２）。
【００８７】
一方、設定時間Ｔが第１の持続時間ｔ１未満でない場合（ステップＳ５１：Ｎｏ）、制御装置４は、設定時間Ｔが第１の持続時間ｔ１と第２の持続時間ｔ２との合計時間ｔ１＋ｔ２未満であるか否かを判定する（ステップＳ５３）。
【００８８】
設定時間Ｔが合計時間ｔ１＋ｔ２未満である場合（ステップＳ５３：Ｙｅｓ）、制御装置４は、第１の色の光を第１の持続時間ｔ１で１回射出することを設定するとともに、第２の色の光を第２の持続時間ｔ２未満の射出時間で１回射出することを設定する（ステップＳ５４）。
【００８９】
一方、設定時間Ｔが合計時間ｔ１＋ｔ２未満でない場合（ステップＳ５３：Ｎｏ）、制御装置４は、合計時間ｔ１＋ｔ２を設定時間Ｔの中に何個割り当てることができるかを算出する（ステップＳ５５）。なお、設定時間Ｔの中に割り当てることができる合計時間ｔ１＋ｔ２の個数の算出は、ステップＳ５の最初に実行してもよい。その場合には、算出された合計時間ｔ１＋ｔ２の個数がゼロである場合に、ステップＳ５１を実行すればよい。
【００９０】
設定時間Ｔの中に割り当てることができる合計時間ｔ１＋ｔ２の個数を算出した後、制御装置４は、算出された個数に応じた射出時間および射出回数を設定する（ステップＳ５６）。例えば、設定時間Ｔの中に合計時間ｔ１＋ｔ２を２個割り当てることができる場合、制御装置４は、図９に示すように、第１の色の光を第１の持続時間ｔ１で２回射出し、第２の色の光を第２の持続時間ｔ２で２回射出し、第１の色の光の射出と第２の色の光の射出とを３回切り替えることを設定する。
【００９１】
以上のようにして設定時間Ｔにおいて射出する光の色、射出時間および射出回数を設定した後、図７に示すように、制御装置４は、ステップＳ５で設定された設定情報に基づいて、第１の色の光を射出するか否かを判定する（ステップＳ６）。
【００９２】
第１の色の光を射出する場合（ステップＳ６：Ｙｅｓ）、制御装置４は、第１の色の光を射出するように面光源装置２１〜２４を制御する（ステップＳ１）。
【００９３】
面光源装置２１〜２４の制御によって第１の色の光の射出が開始された後、制御装置４は、第１の色の光の射出時間が第１の持続時間ｔ１以下の設定された射出時間に達したか否かを判定する（ステップＳ２１）。
【００９４】
第１の色の光の射出時間が設定された射出時間に達した場合（ステップＳ２１：Ｙｅｓ）、または、第１の色の光を射出しない場合（ステップＳ６：Ｎｏ）、制御装置４は、設定情報に基づいて、第２の色の光を射出するか否かを判定する（ステップＳ７）。
【００９５】
一方、第１の色の光の射出時間が設定された射出時間に達していない場合（ステップＳ２１：Ｎｏ）、制御装置４は、第１の色の光の射出を継続させつつ第１の色の光の射出時間が設定された射出時間に達したか否かの判定を繰り返す（ステップＳ２１）。
【００９６】
第２の色の光を射出する場合（ステップＳ７：Ｙｅｓ）、制御装置４は、第１の色の光の射出を終了させたうえで、第２の色の光を射出するように面光源装置２１〜２４を制御する（ステップＳ３）。
【００９７】
面光源装置２１〜２４の制御によって第２の色の光の射出が開始された後、制御装置４は、第２の色の光の射出時間が第２の持続時間ｔ２以下の設定された射出時間に達したか否かを判定する（ステップＳ４１）。
【００９８】
第２の色の光の射出時間が設定された射出時間に達した場合（ステップＳ４１：Ｙｅｓ）、または、第２の色の光を射出しない場合（ステップＳ７：Ｎｏ）、制御装置４は、設定時間Ｔに達したか否かを判定する（ステップＳ８）。
【００９９】
設定時間Ｔに達した場合（ステップＳ８：Ｙｅｓ）、制御装置４は、光の射出制御を終了する。
【０１００】
一方、設定時間Ｔに達していない場合（ステップＳ８：Ｎｏ）、制御装置４は、第１の色の光を出射するか否かの判定に移行する（ステップＳ６）。このとき、第１の色の光の射出回数の設定が２回以上である場合には、ステップＳ６の判定結果は肯定的：Ｙｅｓとなる。
【０１０１】
以上説明したように、第１の変形例において、制御装置４は、予め設定された設定時間において、第１の持続時間以下の射出時間で第１の色の光を射出し、第２の持続時間以下の射出時間で第２の色の光を射出するように面光源装置２１〜２４を制御する。これにより、必要とされる時間において、空間に射出した光によって空間の利用者に生じた心理状態を十分に持続させることができる。
【０１０２】
（第２の変形例）
次に、第１の色の光の射出と第２の色の光の射出との間に切り替え時間を設ける第２の変形例について説明する。なお、第２の変形例の照明システム１の基本構成は、図１〜図５と同様であるので、第２の変形例は、図１〜図５の符号を用いて説明する。
【０１０３】
第２の変形例において、制御装置４は、予め設定された切り替え時間をかけて第１の色の光の射出および第２の色の光の射出の一方から他方に切り替えるように面光源装置２１〜２４を制御する。
【０１０４】
以下、このように構成された本実施形態の第２の変形例の照明システム１の動作例について、図１０および図１１を参照して説明する。図１０は、本実施形態の第２の変形例による照明システム１の動作例を示すフローチャートである。図１１は、本実施形態の第２の変形例による照明システム１の動作例を示す模式図である。図１０のフローチャートは、必要に応じて繰り返される。
【０１０５】
図１０のフローチャートは、図７のフローチャートに対して、ステップＳ９、ステップＳ１０およびステップＳ１１が追加されている。
【０１０６】
具体的には、制御装置４は、第１の色の光を射出する場合（ステップＳ６：Ｙｅｓ）、第１の色の光の射出が設定時間において２回目以降であるか否かを判定する（ステップＳ９）。
【０１０７】
第１の色の光の射出が２回目以降である場合（ステップＳ９：Ｙｅｓ）、制御装置４は、第１の色の光の射出を切り替え時間ｔｓ待機し（ステップＳ１０）、待機の後に、第１の色の光を射出するように面光源装置２１〜２４を制御する（ステップＳ１）。
【０１０８】
一方、第１の色の光の射出が２回目以降でない場合（ステップＳ９：Ｎｏ）、制御装置４は、第１の色の光を射出するように面光源装置２１〜２４を制御する（ステップＳ１）。
【０１０９】
また、制御装置４は、第２の色の光を射出する場合（ステップＳ７：Ｙｅｓ）、第２の色の光の射出を切り替え時間ｔｓ待機し（ステップＳ１１）、待機の後に、第２の色の光を射出するように面光源装置２１〜２４を制御する（ステップＳ３）。
【０１１０】
図１１に示すように、制御装置４は、設定情報の設定時（ステップＳ５）に、第１の色の光の射出時間および第２の色の光の射出時間とともに、切り替え時間ｔｓを設定してもよい。この場合、制御装置４は、設定時間Ｔ中に割り当てることができる第１の持続時間ｔ１と切り替え時間ｔｓと第２の持続時間ｔ２との合計時間ｔ１＋ｔｓ＋ｔ２の個数を算出し、算出された個数に応じて、射出時間および射出回数を設定してもよい。
【０１１１】
以上説明したように、第２の変形例において、制御装置４は、予め設定された切り替え時間をかけて第１の色の光の射出および第２の色の光の射出の一方から他方に切り替えるように面光源装置２１〜２４を制御する。これにより、光の色が急激に切り替わることによって利用者に与える違和感を抑制することができる。
【０１１２】
（第３の変形例）
次に、切り替え時間ｔｓにおいて第１の色および第２の色の双方に近い色の光を射出する第３の変形例について説明する。なお、第３の変形例の照明システム１の基本構成は、図１〜図５と同様であるので、第３の変形例は、図１〜図５の符号を用いて説明する。
【０１１３】
第３の変形例において、制御装置４は、切り替え時間ｔｓに、色度図において第１の色と第２の色とを結ぶ直線上に位置する第３の色の光を射出するように面光源装置２１〜２４を制御する。
【０１１４】
以下、このように構成された本実施形態の第３の変形例による照明システム１の動作例について、図１２および図１３を参照して説明する。図１２は、本実施形態の第３の変形例による照明システム１の動作例を示すフローチャートである。図１３は、本実施形態の第３の変形例による照明システムの動作例を示す模式図である。
【０１１５】
図１２に示すように、制御装置４は、第１の色の光の出射を切り替え時間ｔｓ待機する（ステップＳ１０）にあたって、先ず、図１３に示すように、色度図において第１の色と第２の色とを結ぶ直線上に位置する第３の色の光を射出するように面光源装置２１〜２４を制御する（ステップＳ１０１）。
【０１１６】
第３の色は、色度図において第１の色と第２の色とを結ぶ直線上に位置する固定色であってもよい。または、第３の色は、切り替え時間ｔｓの経過にしたがって第１の色と第２の色とを結ぶ直線上を第１および第２の色のうちの切替元の色から切替先の色に向かって徐々に変動する可変色であってもよい。
【０１１７】
制御装置４の制御によって第３の色の光の射出が開始された後、制御装置４は、待機の開始から切り替え時間ｔｓが経過したか否かを判定する（ステップＳ１０２）。
【０１１８】
切り替え時間ｔｓが経過した場合（ステップＳ１０２：Ｙｅｓ）、制御装置４は、第３の色の光の射出を終了させたうえで、第１の色の光を射出するように面光源装置２１〜２４を制御する（ステップＳ１）。
【０１１９】
一方、切り替え時間ｔｓが経過していない場合（ステップＳ１０２：Ｎｏ）、制御装置４は、第３の色の光の射出を継続しつつ、切り替え時間ｔｓに達したか否の判定を繰り返す（ステップＳ１０２）。
【０１２０】
以上説明したように、第３の変形例において、制御装置４は、切り替え時間ｔｓに、色度図において第１の色と第２の色とを結ぶ直線上に位置する第３の色の光を射出するように面光源装置２１〜２４を制御する。これにより、第２の変形例と比較して、第１の色の光と第２の色の光とを切り替えるときの違和感を更に効果的に抑制することができる。
【０１２１】
（第４の変形例）
次に、目標心理状態の変更を指示可能な第４の変形例について説明する。図１４は、本実施形態の第４の変形例による照明システム１を示すブロック図である。
【０１２２】
図１４に示すように、本実施形態の第４の変形例による照明システム１は、図１の構成に加えて、更に、入力部の一例である入力装置８を有する。
【０１２３】
入力装置８は、ユーザ操作に応じて、目標心理状態の変更の指示を制御装置４に入力する。
【０１２４】
制御装置４は、入力装置８からの目標心理状態の変更の指示に応じて、目標心理状態と、利用者に目標心理状態を生じさせるための光の色とを変更する。制御装置４は、更に、射出時間および射出回数を変更してもよい。
【０１２５】
入力装置８は、目標心理状態の変更の指示を、有線および無線のいずれの通信方式で制御装置４に入力してもよい。また、入力装置８は、目標心理状態の変更の指示を、キー操作入力および音声入力のいずれの入力方式で制御装置４に入力してもよい。また、目標心理状態の変更の指示は、現在の目標心理状態を生じさせるための光の射出を実行している期間中の任意のタイミングで入力可能であってもよい。また、入力装置８は、例えば、パソコンやスマートフォンで構成してもよい。
【０１２６】
以下、このように構成された本実施形態の第３の変形例による照明システム１の動作例について、図１５および図１６を参照して説明する。図１５は、本実施形態の第４の変形例による照明システム１の動作例の概要を示すフローチャートである。図１６は、本実施形態の第４の変形例による照明システム１の動作例の詳細を示すフローチャートである。
【０１２７】
先ず、制御装置４は、入力装置８によって目標心理状態の変更の指示が入力されたか否かを判定する（ステップＳ１２）。
【０１２８】
目標心理状態の変更の指示が入力されなかった場合（ステップＳ１２：Ｎｏ）、制御装置４は、現在の目標心理状態を生じさせるための光を射出するように面光源装置２１〜２４を制御する（ステップＳ１３）。この制御は、例えば、図１０に示されたフローチャートの実行の継続である。
【０１２９】
一方、目標心理状態の変更の指示が入力された場合（ステップＳ１２：Ｙｅｓ）、制御装置４は、変更後の目標心理状態を生じさせるための光を射出するように面光源装置２１〜２４を制御する（ステップＳ１４）。
【０１３０】
ここで、図１６のフローチャートは、変更後の目標心理状態を生じさせるための光の射出制御（ステップＳ１４）の一例を示している。
【０１３１】
図１６のフローチャートは、基本的に図１０のフローチャートと同様であり、目標心理状態の変更にともなって、複数の工程（Ｓ５１、Ｓ６１、Ｓ１１、Ｓ２２、Ｓ７１、Ｓ３１、Ｓ４２）において、変更前の目標心理状態に変えて変更後の目標心理状態に応じた処理を行う点が図１０と異なる。
【０１３２】
すなわち、ステップＳ５１は、図１０のステップＳ５に対応し、目標心理状態の変更にともなって、変更後の目標心理状態に対応するように、第１および第２の色、射出時間および射出回数の設定を変更する工程である。ステップＳ６１は、図１０のステップＳ６に対応し、変更後の第１の色の光を射出するか否かを判定する工程である。ステップＳ１１は、図１０のステップＳ１に対応し、変更後の第１の色の光を射出するように面光源装置２１〜２４を制御する工程である。ステップＳ２２は、図１０のステップＳ２１に対応し、変更後の第１の色の光の射出時間が、変更後の第１の持続時間以下の設定された射出時間に達したか否かを判定する工程である。ステップＳ７１は、図１０のステップＳ７に対応し、変更後の第２の色の光を射出するか否かを判定する工程である。ステップＳ３１は、図１０のステップＳ３に対応し、変更後の第２の色の光を射出するように面光源装置２１〜２４を制御する工程である。ステップＳ４２は、図１０のステップＳ４１に対応し、変更後の第２の色の光の射出時間が、変更後の第２の持続時間以下の設定された射出時間に達したか否かを判定する工程である。
【０１３３】
以上説明したように、第４の変形例において、照明システム１は、目標心理状態の変更の指示を制御装置４に入力する入力装置８を更に備え、制御装置４は、目標心理状態の変更の指示に応じて、目標心理状態と、利用者に目標心理状態を生じさせるための光の色とを変更する。これにより、ユーザの要求に適合するように目標心理状態を変更することができる。
【０１３４】
（第５の変形例）
次に、設定時間の変更を指示可能な第５の変形例について説明する。なお、第５の変形例の照明システム１の基本構成は図１４と同様であるので、第５の変形例は、図１４の符号を用いて説明する。
【０１３５】
第５の変形例において、入力装置８は、ユーザ操作に応じて、設定時間の変更の指示を制御装置４に入力する。制御装置４は、設定時間の変更の指示に応じて、設定時間と、設定時間における第１および第２の光の少なくとも一方の射出時間とを変更する。制御装置４は、第１および第２の光の少なくとも一方の射出時間の変更に代えて、または、第１および第２の光の少なくとも一方の射出時間の変更に加えて、第１および第２の光の少なくとも一方の射出回数を変更してもよい。
【０１３６】
以下、このように構成された本実施形態の第５の変形例による照明システム１の動作例について、図１７および図１８を参照して説明する。図１７は、本実施形態の第５の変形例による照明システム１の動作例の概要を示すフローチャートである。図１８は、本実施形態の第５の変形例による照明システム１の動作例の詳細を示すフローチャートである。
【０１３７】
先ず、制御装置４は、入力装置８によって設定時間の変更の指示が入力されたか否かを判定する（ステップＳ１５）。
【０１３８】
設定時間の変更の指示が入力されなかった場合（ステップＳ１５：Ｎｏ）、制御装置４は、現在の設定時間において光を射出するように面光源装置２１〜２４を制御する（ステップＳ１６）。この制御は、例えば、図１０に示されたフローチャートの実行の継続である。
【０１３９】
一方、心理状態の設定時間の変更の指示が入力された場合（ステップＳ１５：Ｙｅｓ）、制御装置４は、変更後の設定時間において光を射出するように面光源装置２１〜２４を制御する（ステップＳ１７）。
【０１４０】
ここで、図１８のフローチャートは、変更後の設定時間における光の射出制御（ステップＳ１７）の一例を示している。
【０１４１】
図１８のフローチャートは、基本的に図１０のフローチャートと同様であり、設定時間の変更にともなって、変更後の設定時間に対応するように光の色、射出時間および射出回数を設定する工程（ステップＳ５２）が図１０のステップＳ５と異なる。
【０１４２】
以上説明したように、第５の変形例において、入力装置８は、設定時間の変更の指示を制御装置４に入力し、制御装置４は、設定時間の変更の指示に応じて、設定時間と、設定時間における第１および第２の色の光の少なくとも一方の射出時間および／または射出回数を変更する。これにより、ユーザの要求に適合するように目標心理状態の持続時間を変更することができる。
【０１４３】
（第６の変形例）
次に、利用者による空間の利用状況に応じて心理状態の設定を変更する第６の変形例について説明する。図１９は、本実施形態の第６の変形例による照明システム１を示すブロック図である。
【０１４４】
図１９に示すように、本実施形態の第６の変形例による照明システム１は、図１４の構成に加えて、更に、検知部の一例であるセンサ９を有する。
【０１４５】
センサ９は、利用者による空間の利用状況を検知する。制御装置４は、センサ９で検知された利用状況に応じて、目標心理状態と、利用者に目標心理状態を生じさせるための光の色とを変更する。更に、制御装置４は、射出時間および射出回数を変更してもよい。
【０１４６】
空間の利用状況は、空間の利用者の外観および生体情報の少なくとも一方を含む。センサ９は、接触式のセンサおよび非接触式のセンサのいずれであってもよい。例えば、センサ９は、利用者の外観や、体温および心拍数などの利用者の生体情報を検知するカメラであってもよい。この他にも、センサ９としては、利用者の心拍数、血圧、脳波、及び脳血流などを検知するウェアラブル機器や、音声情報から空間の雰囲気や利用者の感情を検知する集音マイク、利用者の脳波から感情を検知するヘッドセット型の感性アナライザなどを好適に適用することができる。センサ９は、有線および無線のいずれの通信方式で検知情報を制御装置４に送信してもよい。また、センサ９は、検知情報を直接制御装置４に送信してもよく、または、入力装置８を介して制御装置４に送信してもよい。
【０１４７】
制御装置４は、センサ９の検知情報が現在の目標心理状態に適合しないと判断される場合には、現在の目標心理状態から検知情報に応じた目標心理状態に変更する。例えば、制御装置４は、目標心理状態として「活気」を生じさせるための光の射出制御中に取得されたセンサ９の検知情報が、例えば閾値以上の心拍数の上昇量を示しているために利用者が疲労していると判断される場合には、目標心理状態を「疲れ改善」に変更してもよい。この場合、制御装置４は、第１の色の光として藤色の光を射出し、第２の色の光としてあやめ色の光を射出してもよい。
【０１４８】
以下、このように構成された本実施形態の第６の変形例による照明システム１の動作例について、図２０を参照して説明する。図２０は、本実施形態の第６の変形例による照明システム１の動作例を示すフローチャートである。
【０１４９】
先ず、制御装置４は、センサ９から検知情報を取得する（ステップＳ１８）。
【０１５０】
検知情報を取得した後、制御装置４は、検知情報に基づいて、目標心理状態の変更が必要か否かを判定する（ステップＳ１９）。
【０１５１】
目標心理状態の変更が不要である場合（ステップＳ１９：Ｎｏ）、制御装置４は、現在の目標心理状態を生じさせるための光を射出するように面光源装置２１〜２４を制御する（ステップＳ１３）。この制御は、例えば、図１０に示されたフローチャートの実行の継続である。
【０１５２】
一方、目標心理状態の変更が必要である場合（ステップＳ１９：Ｙｅｓ）、制御装置４は、変更後の目標心理状態を生じさせるための光を射出するように面光源装置２１〜２４を制御する（ステップＳ１４）。この制御は、例えば、図１６に示されたフローチャートの実行である。
【０１５３】
以上説明したように、第６の変形例において、照明システム１は、利用者による空間の利用状況を検知するセンサ９を更に備え、制御装置４は、検知された利用状況に応じて、目標心理状態と、利用者に目標心理状態を生じさせるための光の色とを変更する。これにより、利用状況に適合するように目標心理状態を変更することができる。
【０１５４】
（第７の変形例）
次に、利用者による空間の利用状況に応じて設定時間を変更する第７の変形例について説明する。なお、第７の変形例の照明システム１の基本構成は図１９と同様であるので、第７の変形例は、図１９の符号を用いて説明する。
【０１５５】
第７の変形例において、制御装置４は、センサ９で検知された空間の利用状況に応じて、設定時間と、設定時間における第１および第２の光の少なくとも一方の射出時間とを変更する。制御装置４は、第１および第２の光の少なくとも一方の射出時間の変更に代えて、または、第１および第２の光の少なくとも一方の射出時間の変更に加えて、第１および第２の光の少なくとも一方の射出回数を変更してもよい。
【０１５６】
例えば、制御装置４は、センサ９の一例であるカメラの画像に基づいて、設定時間が経過しても利用者が部屋から退出していないと判断される場合には、設定時間を一定時間延長してもよい。また、部屋の利用時間の一部が、目標心理状態を「活気」とした会議のための設定時間として設定されている場合において、カメラの画像や音声入力情報に基づいて、設定時間が経過しても会議が続行中であると判断される場合には、設定時間を延長して活気を生じさせるための光射出制御を継続してもよい。
【０１５７】
以下、このように構成された本実施形態の第７の変形例による照明システム１の動作例について、図２１を参照して説明する。図２１は、本実施形態の第７の変形例による照明システム１の動作例を示すフローチャートである。
【０１５８】
先ず、制御装置４は、センサ９から検知情報を取得する（ステップＳ１８）。
【０１５９】
検知情報を取得した後、制御装置４は、検知情報に基づいて、設定時間の変更が必要か否かを判定する（ステップＳ２０）。
【０１６０】
設定時間の変更が不要である場合（ステップＳ２０：Ｎｏ）、制御装置４は、現在の設定時間において光を射出するように面光源装置２１〜２４を制御する（ステップＳ１６）。この制御は、例えば、図１０に示されたフローチャートの実行の継続である。
【０１６１】
一方、設定時間の変更が必要である場合（ステップＳ２０：Ｙｅｓ）、制御装置４は、変更後の設定時間において光を射出するように面光源装置２１〜２４を制御する（ステップＳ１７）。この制御は、例えば、図１８に示されたフローチャートの実行である。
【０１６２】
以上説明したように、第７の変形例において、制御装置４は、センサ９で検知された利用状況に応じて、設定時間と、設定時間における第１および第２の色の光の少なくとも一方の射出時間および／または射出回数を変更する。これにより、利用状況に適合するように目標心理状態の持続時間を変更することができる。
【０１６３】
（第８の変形例）
図４の例では、導光板２１１の取出要素として、凹部２１１ｃを例示した。他の例として、図２２に示すように、取出要素は、導光板２１１に積層された光散乱層２１５とすることができる。光散乱層２１５は、バインダーとして機能する支持層２１５ａと、支持層２１５ａ内に分散した光散乱要素２１５ｂと、を有している。支持層２１５ａは、可視光透過性を有した樹脂から形成され得る。光散乱要素２１５ｂは、反射、屈折、回折等によって、光散乱層２１５内を進行する光の進行方向を変化させる機能を有している。光散乱要素２１５ｂは、支持層２１５ａと異なる屈折率を有していてもよいし、金属等の光反射性を有した材料によって形成されていてもよい。光散乱要素２１５ｂの具体例として、金属化合物、気体を含有した多孔質物質、金属化合物を周囲に保持した樹脂ビーズ、白色微粒子、気泡、周囲と屈折率が異なる粒子が、例示され得る。図２２の例において、導光板２１１内を進む光Ｌ１，Ｌ２は、光散乱層２１５内で光散乱要素２１５ｂと衝突することで進行方向を変化させ、その後、導光板２１１から出射することが可能となる。
【０１６４】
なお、光散乱層２１５の支持層２１５ａの屈折率は、導光板２１１の屈折率以上となっていることが好ましい。光散乱層２１５の支持層２１５ａの屈折率が導光板２１１の屈折率よりも低いと、導光板２１１内を進む光Ｌ３が、導光板２１１と光散乱層２１５との界面で全反射して、光散乱層２１５に入射できない可能性がある。このような光Ｌ３は、入光面２１１ｄから導光板２１１に入射した後、導光板２１１内を反対面２１１ｅまで進むことになる。このような光の存在は、発光体２２０のエネルギー効率が低下させてしまうことになる。支持層２１５ａの屈折率を導光板２１１の屈折率以上とすることで、導光板２１１と光散乱層２１５との界面での全反射を効果的に防止して、光散乱層２１５が取出要素としてより効果的に機能し得る。
【０１６５】
（第９の変形例）
さらに他の例として、図２３に示すように、取出要素として機能する光散乱要素２１５ｂが、導光板本体６５内に分散していてもよい。図２３に示された導光板２１１では、導光板２１１内を進む光Ｌが、光散乱要素２１５ｂに衝突することで散乱し、導光板２１１から出射することができる。光散乱要素２１５ｂとしては、上述した光散乱要素２１５ｂと同様に構成され得る。
【０１６６】
また、導光板２１１は、複数種類の取出要素を含むようにしてもよい。図２３に示された例において、導光板２１１は、光散乱要素２１５ｂを含有し、さらに、凹部２１１ｃを有している。
【０１６７】
さらに、導光板２１１の各領域での凹部２１１ｃに起因した光散乱能は、一定ではなく、異なっていてもよい。すなわち、導光板２１１の光散乱能が、板面に沿った各領域で変化するようにしてもよい。さらに言い換えると、導光板２１１の或る領域での光散乱能は、当該領域から板面に沿ってずれた他の領域での光散乱能と異なっていてもよい。導光板２１１のパネル面に沿った各領域での光散乱能を変化させることにより、各領域からの出射光量を調節することが可能となる。
【０１６８】
光散乱能は、導光板２１１がその内部を通過する光を散乱させる性能の強さのことである。光散乱能の程度は、一例として、ＪＩＳ−Ｋ７３６１−１に準拠して測定されるヘイズ値［％］を用いて評価することができ、ヘイズ値［％］が高いと光散乱能が高いということになる。したがって、図示された例では、導光板２１１の板面への法線方向に透過する透過ヘイズ値が、導光板２１１の各領域で一定ではなく、異なる値を持つようになる。ヘイズ値［％］は、ヘイズメーター（村上色彩技術研究所製、製品番号；ＨＭ−１５０）を用いてＪＩＳ  Ｋ７１３６に準拠した方法により測定することができる。
【０１６９】
また、本開示の照明システム１は、建物の部屋以外にも、車室や船室などの移動体の部屋内の空間の演出にも適用することができる。
【０１７０】
なお、以上において一実施の形態に対する具体例および変形例を説明してきたが、当然に、複数の例を適宜組み合わせて適用することも可能である。
【０１７１】
本開示のいくつかの実施形態を説明したが、これらの実施形態は、例として提示したものであり、開示の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、本開示の範囲や要旨に含まれると同様に、特許請求の範囲に記載された本開示とその均等の範囲に含まれるものである。
【符号の説明】
【０１７２】
１  照明システム
２１  第１の面光源装置
２２  第２の面光源装置
２３  第３の面光源装置
２４  第４の面光源装置
４  制御装置
【図１】
2019200918.tif 000003
【図２】
2019200918.tif 000004
【図３】
2019200918.tif 000005
【図４】
2019200918.tif 000006
【図５】
2019200918.tif 000007
【図６】
2019200918.tif 000008
【図７】
2019200918.tif 000009
【図８】
2019200918.tif 000010
【図９】
2019200918.tif 000011
【図１０】
2019200918.tif 000012
【図１１】
2019200918.tif 000013
【図１２】
2019200918.tif 000014
【図１３】
2019200918.tif 000015
【図１４】
2019200918.tif 000016
【図１５】
2019200918.tif 000017
【図１６】
2019200918.tif 000018
【図１７】
2019200918.tif 000019
【図１８】
2019200918.tif 000020
【図１９】
2019200918.tif 000021
【図２０】
2019200918.tif 000022
【図２１】
2019200918.tif 000023
【図２２】
2019200918.tif 000024
【図２３】
2019200918.tif 000025